(57)【要約】【課題】安定した点灯状態を保持する冷陰極管点灯装置を提供する。【解決手段】一次巻線１３と第１〜第３の二次巻線１４〜１６とを有するトランスと、一次巻線に接続した駆動回路１１と、第１〜第３の二次巻線に接続した第１、第２の冷陰極管１７、１８と、この第１、第２の冷陰極管に流れる電流を検出する検出部１９と、この検出部からの信号を入力することにより駆動回路を制御する制御回路２１とを備え、第１〜第３の二次巻線と第１、第２の冷陰極管との接続は、第１の二次巻線の一方の端部１４ａを接地して他方の端部１４ｂを第１の冷陰極管の一方の端部１７ａに接続し、第１の冷陰極管の他方の端部１７ｂを第２の二次巻線の一方の端部１５ａに接続して他方の端部１５ｂを第２の冷陰極管の一方の端部１８ａに接続し、第２の冷陰極管の他方の端部１８ｂを第３の二次巻線の一方の端部１６ａに接続して他方の端部１６ｂを検出部１９を介して接地した。【選択図】図１
2011086568.tif 000002
【特許請求の範囲】
【請求項１】
一次巻線と第１、第２、第３の二次巻線とを有するトランスと、
前記一次巻線に接続した駆動回路と、
前記第１、第２、第３の二次巻線に接続した第１、第２の冷陰極管と、
この第１、第２の冷陰極管に流れる電流を検出する検出部と、
この検出部からの信号を入力することにより前記駆動回路を制御する制御回路部とを備え、
前記第１、第２、第３の二次巻線と前記第１、第２の冷陰極管と前記検出部との接続は、
前記第１の二次巻線の一方の端部を接地して他方の端部を前記第１の冷陰極管の一方の端部に接続し、
前記第１の冷陰極管の他方の端部を前記第２の二次巻線の一方の端部に接続して他方の端部を前記第２の冷陰極管の一方の端部に接続し、
前記第２の冷陰極管の他方の端部を前記第３の二次巻線の一方の端部に接続して他方の端部を前記検出部を介して接地した冷陰極管点灯装置。
【請求項２】
第１、第２、第３の二次巻線におけるそれぞれの一方の端部は同極性とした請求項１に記載の冷陰極管点灯装置。
【請求項３】
トランスは、
複数の磁脚からなる磁心と、
この磁心に巻回した一次巻線と第１、第２、第３の二次巻線とを有し、
前記第１、第２、第３の二次巻線は同一の磁脚に巻回し、
前記第２の二次巻線は前記第１の二次巻線と前記第３の二次巻線との間に配置した請求項１に記載の冷陰極管点灯装置。
【請求項４】
中磁脚とその両側に設けた第１の磁脚と第２の磁脚とこれらの両端部を連結する連結部とからなる磁心と、
前記中磁脚に巻回した一次巻線と、
前記第１の磁脚に巻回した第１、第２、第３の二次巻線と、
前記第２の磁脚に巻回した第４、第５、第６の二次巻線とを有するトランスと、
前記一次巻線に接続した駆動回路と、
前記第１、第２、第３の二次巻線に接続した第１、第２の冷陰極管と、
前記第４、第５、第６の二次巻線に接続した第３、第４の冷陰極管と、
前記第１、第２の冷陰極管に流れる電流を検出する検出部と、
この検出部からの信号を入力することにより前記駆動回路を制御する制御回路部とを備え、
前記第１、第２、第３の二次巻線と前記第１、第２の冷陰極管と前記検出部との接続は、
前記第１の二次巻線の一方の端部を接地して他方の端部を前記第１の冷陰極管の一方の端部に接続し、
前記第１の冷陰極管の他方の端部を前記第２の二次巻線の一方の端部に接続して他方の端部を前記第２の冷陰極管の一方の端部に接続し、
前記第２の冷陰極管の他方の端部を前記第３の二次巻線の一方の端部に接続して他方の端部を前記検出部を介して接地し、
前記第４、第５、第６の二次巻線と前記第３、第４の冷陰極管との接続は、
前記第４の二次巻線の一方の端部を接地して他方の端部を前記第３の冷陰極管の一方の端部に接続し、
前記第３の冷陰極管の他方の端部を前記第５の二次巻線の一方の端部に接続して他方の端部を前記第４の冷陰極管の一方の端部に接続し、
前記第４の冷陰極管の他方の端部を前記第６の二次巻線の一方の端部に接続して他方の端部を接地した冷陰極管点灯装置。
【請求項５】
一次巻線と、３以上である複数のＮ個の二次巻線とを有するトランスと、
前記一次巻線に接続した駆動回路と、
前記第１から第Ｎの二次巻線に接続した第１から第Ｎ−１の冷陰極管と、
この第１から第Ｎ−１の冷陰極管に流れる電流を検出する検出部と、
この検出部からの信号を入力することにより前記駆動回路を制御する制御回路部とを備え、
前記第１から第Ｎの二次巻線と前記第１から第Ｎ−１の冷陰極管と前記検出部との接続は、
始点側に一方の端部を接地した前記第１の二次巻線と、終点側に一方の端部を前記検出部を介して接地した第Ｎの二次巻線とを配置したうえで、
前記第１の二次巻線の他方の端部と前記第Ｎの二次巻線の他方の端部との間には前記冷陰極管と前記二次巻線とを交互に直列接続で配置した冷陰極管点灯装置。
【発明の詳細な説明】
【技術分野】
【０００１】
本発明は各種ディスプレイ等の電子機器に使用される冷陰極管点灯装置に関するものである。
【背景技術】
【０００２】
以下、従来の冷陰極管点灯装置について図面を用いて説明する。図５は従来の放電灯点灯装置の接続図であり、冷陰極管点灯装置は電源１から電力の供給を受ける駆動回路２に接続したトランス３の一次巻線４と、このトランス３の二次巻線５に接続したＵ字形冷陰極管６とを備えており、二次巻線５とＵ字形冷陰極管６との間にはカレントトランス７を配置し、このカレントトランス７からの信号を制御回路８へ入力し、この制御回路８からの出力信号を駆動回路２へ入力することで、Ｕ字形冷陰極管６の輝度調整を行うよう構成するものであった。
【０００３】
なお、この出願の発明に関する先行技術文献情報としては例えば特許文献１、２が知られている。
【先行技術文献】
【特許文献】
【０００４】
【特許文献１】国際公開第２００６／０８５６８３号
【特許文献２】特開２００６−１３４６６３号公報
【発明の概要】
【発明が解決しようとする課題】
【０００５】
しかしながら、従来の冷陰極管点灯装置では図５に示すように、特にＵ字形冷陰極管６の両端に対して大きな電位差を与える手段としては、これらを二次巻線５の両端にＵ字形冷陰極管６の両端を接続する接続方法がとられているが、この場合、二次巻線５とＵ字形冷陰極管６とを含めたランプ点灯回路９は接地を伴わない状態であることから、ランプ点灯回路９に流れる電流を検出してその状態を駆動回路２へフィードバックするための電流検出が不安定になりやすく、結果としてＵ字形冷陰極管６の点灯状態も不安定となることでＵ字形冷陰極管６を適用したディスプレイ（図示せず）の輝度ムラが発生する可能性があるという課題があった。
【０００６】
また同時に、ランプ点灯回路９は絶対値として高電位を有する回路であり、ここに流れる電流を検出して制御回路８へ送るための信号に変換するためのカレントトランス７については高電圧に対処するデバイスであるため、高耐圧や絶縁性をはじめとする信頼性の高い特性を有することが必要となる。そのうえ、このカレントトランス７を実装するための配線パターン（図示せず）についても適切な距離等を得るための実装スペースが必要となることから、ランプ点灯回路９の設計を行ううえで特性面に関する制約や実装面に関する制約が多く存在するという課題があった。
【０００７】
そこで本発明は、安定した点灯状態を保持する冷陰極管点灯装置を提供するものである。
【課題を解決するための手段】
【０００８】
そして、この目的を達成するために、
一次巻線と第１、第２、第３の二次巻線とを有するトランスと、
前記一次巻線に接続した駆動回路と、
前記第１、第２、第３の二次巻線に接続した第１、第２の冷陰極管と、
この第１、第２の冷陰極管に流れる電流を検出する検出部と、
この検出部からの信号を入力することにより前記駆動回路を制御する制御回路部とを備え、
前記第１、第２、第３の二次巻線と前記第１、第２の冷陰極管と前記検出部との接続は、
前記第１の二次巻線の一方の端部を接地して他方の端部を前記第１の冷陰極管の一方の端部に接続し、
前記第１の冷陰極管の他方の端部を前記第２の二次巻線の一方の端部に接続して他方の端部を前記第２の冷陰極管の一方の端部に接続し、
前記第２の冷陰極管の他方の端部を前記第３の二次巻線の一方の端部に接続して他方の端部を前記検出部を介して接地したことを特徴としたものである。
【発明の効果】
【０００９】
本発明によれば、複数の冷陰極管に逆位相の電位を印加して、これらに流れる電流の検出を二次巻線、接地間において行うことで、安定した電流検出を行い、冷陰極管の輝度ムラの抑制を可能とするものである。
【図面の簡単な説明】
【００１０】
【図１】本発明の実施の形態１における冷陰極管点灯装置の接続図
【図２】本発明の実施の形態１におけるトランスの上面図
【図３】本発明の実施の形態２におけるトランスの上面図
【図４】本発明の実施の形態２における冷陰極管点灯装置の接続図
【図５】従来の冷陰極管点灯装置の接続図
【発明を実施するための形態】
【００１１】
以下、本発明の実施の形態について図面を用いて説明する。
【００１２】
（実施の形態１）
図１は本発明の実施の形態１における冷陰極管点灯装置の接続図であり、冷陰極管点灯装置は電源１０から電力の供給を受ける駆動回路１１に接続したトランス１２に設けた一次巻線１３と、このトランス１２に設けた第１の二次巻線１４と第２の二次巻線１５と第３の二次巻線１６とに接続した第１の冷陰極管１７と第２の冷陰極管１８とを備えている。ここで第１の二次巻線１４の一方の端部１４ａは接地し、他方の端部１４ｂは第１の冷陰極管１７の一方の端部１７ａに接続している。また第１の冷陰極管１７の他方の端部１７ｂは第２の二次巻線１５の一方の端部１５ａに接続し、他方の端部１５ｂは第２の冷陰極管１８の一方の端部１８ａに接続している。さらに、第２の冷陰極管１８の他方の端部１８ｂは第３の二次巻線１６の一方の端部１６ａに接続し、他方の端部１６ｂは検出部１９を介して接地している。
【００１３】
ここで、検出部１９から発信する検出信号２０は制御回路２１へ入力し、検出信号２０に応じて制御回路２１が発信する制御信号２２を駆動回路１１へ入力することにより、一次巻線１３を通じて第１の二次巻線１４と第２の二次巻線１５と第３の二次巻線１６とに生じる電圧を調整し、第１、第２の冷陰極管１７、１８の輝度調整を行うようフィードバックの機能を構成している。
【００１４】
この構成によれば、第１、第２の冷陰極管１７、１８には逆位相の電位を印加して大きな電位差を存在させたうえで、そこに流れる電流の検出を第３の二次巻線１６と接地部２３との間で行うことで、安定した電流検出が可能となり、これを利用した調整によって冷陰極管の輝度ムラや輝度変化の抑制を可能とするものである。
【００１５】
ここで第１、第２の冷陰極管１７、１８の点灯状態においては例えば、第１の二次巻線１４の一方の端部１４ａは接地していることから電位は０となり、これに対して他方の端部１４ｂの電位は（＋）Ｖとなる。また、第２の二次巻線１５の一方の端部１５ａの電位は（−）Ｖとなり、他方の端部１５ｂの電位は（＋）Ｖとなる。第３の二次巻線１６については、第１の二次巻線１４の場合とほぼ対称な状態の、一方の端部１６ａの電位は（＋）Ｖとなり、他方の端部１６ｂの電位は（＋）Ｖや（−）Ｖに比較して非常に０に近い低電位の状態となる。よって、第１の冷陰極管１７の一方の端部１７ａには（＋）Ｖ電位が、他方の端部１７ｂには（−）Ｖ電位が加わり、同様に第２の冷陰極管１８の一方の端部１８ａには（＋）Ｖ電位が、他方の端部１８ｂには（−）Ｖ電位が加わることとなる。これにより第１、第２の冷陰極管１７、１８の両端には逆位相の電位が存在するため、第１、第２の冷陰極管１７、１８がＵ字形放電管のように、大きな放電電圧を必要とする冷陰極管であっても、十分な放電電圧を得ることができる。
【００１６】
これと同時に、第２の二次巻線１５は何れの端部１５ａ、１５ｂも接地されずにフローティング状態となっている。そして上記のように、両側の端部１５ａ、１５ｂはそれぞれ異なる冷陰極管に接続した状態となっており、例えば、第１の冷陰極管１７に何らかの要因で電流が大きくなった場合、同時に第２の二次巻線１５の一方の端部１５ａの電位が上昇することとなるが、端部１５ａ、１５ｂは接地されずにフローティング状態となっているため、第２の二次巻線１５は磁気エネルギーや電気エネルギーを平準化させるように反応することとなる。つまり第２の二次巻線１５においては端部１５ａ、１５ｂとが極性反転した同電位となり、第２の二次巻線１５は第２の二次巻線１５の一方の端部１５ａに接続した第１の冷陰極管１７と、第２の二次巻線１５の他方の端部１５ｂに接続した第２の冷陰極管１８とに流れる電流についても平準化させるバランサーとしての機能を有することとなる。従って、二次巻線と冷陰極管との上記の形態の接続により十分な放電電圧を得るとともに、複数の冷陰極管をそれぞれ直列に接続し、点灯および検出に同一の電流を適用していることによって的確な電流検出ができ、第１、第２の冷陰極管１７、１８の輝度ムラの発生を抑制することも可能である。
【００１７】
ここで説明した実施の形態においては、第１、第２の冷陰極管１７、１８をＵ字形冷陰極管としているが、一般的にＵ字形冷陰極管は、高電位と零電位間とで点灯するＩ字形冷陰極管２本を直列接続している状態と同等であることから、Ｉ字形冷陰極管を適用した場合に適用すると３組の二次巻線により４本の冷陰極管を点灯させることができるものである。従って、二次巻線の数量を抑えたうえで、多本数の冷陰極管を安定して点灯させることを可能とするものでもある。
【００１８】
ここで、第３の二次巻線１６の他方の端部１６ｂの電位が低電位であるのは検出部１９を介して接地２３に接続しているためであり、その電位は検出部１９や制御回路２１が正常に動作する電位であれば十分なものである。すなわち接地された近傍の検出部１９で信号検出を行うことで、非常に正確に第１、第２の冷陰極管１７、１８に流れる電流値の直接の検出が可能であることから、その電流変化等を正確に制御回路２１を通じて駆動回路１１に帰還させることとなる。これにより、第１、第２の冷陰極管１７、１８に流れる電流が変動することで輝度に変動が生じた場合は、直ちに駆動回路１１により、第１、第２、第３の二次巻線１４、１５、１６に対して的確な電圧の調整を行い、第１、第２の冷陰極管１７、１８の輝度調整を行うこととなる。そして、当然ながら検出部１９は低電位部における動作であることから、耐圧や絶縁性に関して問題となることもなく、耐圧や絶縁性によって設計や実装の自由度を制限されるものではない。
【００１９】
さらに、上述のように第１、第２の冷陰極管１７、１８は直列の接続となっていることから、仮に何れかの冷陰極管に異常が生じた際においても、検出部１９もまた第１、第２の冷陰極管１７、１８に直列に接続していることで、その異常に対する判定が容易に可能となり、個々の冷陰極管それぞれに対しての異常の有無を検知させる機能を加える必要はない。
【００２０】
また、上記のように第１、第２、第３の二次巻線１４、１５、１６に（＋）Ｖ電位および（−）Ｖ電位を正確に発生させるためには、接地した端部を有する第１、第３の二次巻線１４、１６の巻数をＮとした場合、第２の二次巻線１５の巻数はその２倍の２Ｎとすることが望ましい。そして、第１、第２の冷陰極管１７、１８のそれぞれの一方の端部１７ａ、１８ａに（＋）Ｖ電位、それぞれの他方の端部１７ｂ、１８ｂに（−）Ｖ電位を印加するために、第１、第２、第３の二次巻線１４、１５、１６におけるそれぞれの一方の端部１４ａ、１５ａ、１６ａは同極性の巻線仕様としたうえで接続する。ここで説明した電位における（＋）Ｖおよび（−）Ｖについては、そのまま（＋）と（−）の符号を反転させても機能は同様である。
【００２１】
次に、図２は上記の接続を適用するためのトランス１２の上面図である。トランス１２は第１の磁脚２４と第２の磁脚２５を有する磁心２６と、第１の磁脚２４に巻回した一次巻線１３と、第２の磁脚に巻回した、第１の二次巻線１４、第２の二次巻線１５、第３の二次巻線１６とによって構成されている。ここで第２の二次巻線１５は、第１の二次巻線１４と第３の二次巻線１６とに挟まれた位置関係となるよう配置している。これにより、一次巻線１３で発生した磁束は基本的に第１の二次巻線１４、第２の二次巻線１５、第３の二次巻線１６に対して同等に鎖交することとなる。よって、先述した二次巻線それぞれの端部に生じる電位（＋）Ｖおよび（−）Ｖの値は一致させやすくなることから、図１に示す第１、第２の冷陰極管１７、１８の輝度も一致させやすくすることができる。また、この位置関係の配置とすることにより、第２の二次巻線１５が第１の二次巻線１４や第３の二次巻線１６から受ける磁気的影響についても均等に近づけることができ、第２の二次巻線１５のバランサーとしてより的確に機能させることができる。当然ながら、第２の二次巻線１５は、第１の二次巻線１４と第３の二次巻線１６とに挟まれた位置関係との配置については、第２の二次巻線１５と第１の二次巻線１４との隣接する距離と、第２の二次巻線１５と第３の二次巻線１６との隣接する距離とを一致させるのが望ましい。
【００２２】
ここでは、第２の磁脚２５へ第１、第２、第３の二次巻線１４、１５、１６を集中して配置しているが、第１の二次巻線１４、第３の二次巻線１６をそれぞれ第１の磁脚２４と第２の磁脚２５とを連結する連結脚２６ａ、２６ｂに配置しても構わない。これにより、一次巻線１３で発生した磁束が同等に第１、第２、第３の二次巻線１４、１５、１６に鎖交することで、それぞれに発生する電位の関係を維持したうえで第１、第２、第３の二次巻線１４、１５、１６を磁心２６の角を隔てて配置することから、結合状態の調整を容易にすることも可能となる。
【００２３】
（実施の形態２）
以上においては、図１に示すように２つのＵ字形放電管である第１、第２の冷陰極管１７、１８を第１、第２、第３の二次巻線１４、１５、１６に接続し、これらに対して一次巻線１３から磁気回路を通じて電力を供給する形態としている。これに加えて、実施の形態２においては、図３のトランスの上面図に示すようにトランス１２は磁心２６を日の字形形状として３本目の磁脚２７を磁脚２５の反対側に設け、そこに第４、第５、第６の二次巻線２８、２９、３０を配置し、これらに対して２つのＵ字形放電管である第３、第４の冷陰極管３１、３２を接続している。
【００２４】
このとき、実施の形態２では実施の形態１に示す場合と同様に、図３においても第３の二次巻線１６は検出部１９を介して接地している。一方、第４、第５の二次巻線２８、２９は共に検出機能を有する素子等には接続せずに、直接に接地している。これにより、第１、第２の冷陰極管１７、１８に流れる電流を検出部１９において安定な検出をして輝度ムラを抑制できると同時に、第４、第５、第６の二次巻線２８、２９、３０およびこれらに接続した第３、第４の冷陰極管３１、３２に流れる電流の状態も間接的に安定化させることとなる。
【００２５】
このような形態とすることによって、第１、第２の冷陰極管１７、１８と第３、第４の冷陰極管３１、３２とを点灯させる際、点灯のための電力は一次巻線１３による電力を共用するため、第１、第２の冷陰極管１７、１８側と第３、第４の冷陰極管３１、３２側とでインピーダンス等の小さな不平衡が生じた場合もトランス１２において適宜に電力の最適な分配が行われるため、冷陰極管どうしでの大幅な輝度ムラは抑制することができる。これに加えて、第１、第２の冷陰極管１７、１８に流れる電流を検出部１９により検出し、一次巻線１３へフィードバックさせ、第１、第２の冷陰極管１７、１８および第１、第２、第３の二次巻線１４、１５、１６の安定を保った状態としていることから、トータルとして第１、第２、第３、第４の冷陰極管１７、１８、３１、３２における大幅な輝度ムラもまた抑制することができるものである。またこれは、検出部１９を第１、第２の冷陰極管１７、１８側か、或いは第３、第４の冷陰極管３１、３２側のいずれか一方側に設けることで対応できるものでもある。
【００２６】
これは、磁心２６において、磁脚２４に対して磁脚２５と磁脚２７とが同じ磁気特性となるように、例えば磁心２６を概ね左右対称の形状とし、かつ、第１、第２、第３の二次巻線１４、１５、１６と第４、第５、第６の二次巻線２８、２９、３０とをほぼ同一の特性を持たせること、さらに第１、第２の冷陰極管１７、１８と第３、第４の冷陰極管３１、３２とをほぼ同一の特性を持ったものとすることで、最も良好な状態として各冷陰極管に流れる電流の安定化を行うことができるものである。
【００２７】
この接続の形態により、１つのトランスにおいて６個の二次巻線を設けることで４本のＵ字形冷陰極管あるいは８本のＩ字形冷陰極管を点灯させることができ、少ない二次巻線により多くの冷陰極管を点灯させることができる。
【００２８】
ここでは、第１、第２の冷陰極管１７、１８における電流の経路と第３、第４の冷陰極管３１、３２における電流経路とを異なる路線としたものについて説明したが、第４の二次巻線２８と第１の二次巻線１４とを図４の冷陰極管点灯装置の接続図に示すように第５の冷陰極管３３を介して接続し、６個の二次巻線に５本のＵ字形冷陰極管を接続しても構わない。これは第１の実施形態における図１に示した第１の接続図に関して、二次巻線および冷陰極管の数量について拡張したものとなる。
【００２９】
これからも明らかなように、点灯を可能とする巻線の数量当たりの最多の冷陰極管の数量は二次巻線の数量をｎとすると、（ｎ−１）本のＵ字形冷陰極管となり、Ｉ字形冷陰極管であれば２＊（ｎ−１）本ということとなる。
【００３０】
当然ながら、図４に示すように、これらの接続の始点側に位置する第６の二次巻線３０および終点側に位置する第３の巻線１６は、接地されているかもしくは検出部１９を介して接地した接続となっており、検出部１９によって検出する電流は第１、第２、第３、第４、第５の冷陰極管１７、１８、３１、３２、３３を直列に接続したうえで、これらを流れる管電流そのものであるため的確な電流検出が可能であり、且つこの検出が低電位で接地部２３の近傍で行われることから安定した電流検出が可能なものでもある。二次巻線の接続としては順に、第６の二次巻線３０の一方の端部３０ａは接地し、他方の端部３０ｂは第４の冷陰極管３２の一方の端部３２ａに接続している。また第４の冷陰極管３２の他方の端部３２ｂは第５の二次巻線２９の一方の端部２９ａに接続し、他方の端部２９ｂは第３の冷陰極管３１の一方の端部３１ａに接続している。同様に、第３の冷陰極管３１の他方の端部３１ｂは第４の二次巻線２８の一方の端部２８ａに接続し、他方の端部２８ｂは第５の冷陰極管３３の一方の端部３３ａに接続している。同様に、第５の冷陰極管３３の他方の端部３３ｂは第１の二次巻線１４の一方の端部１４ａに接続し、他方の端部１４ｂは第１の冷陰極管１７の一方の端部１７ａに接続している。同様に、第１の冷陰極管１７の他方の端部１７ｂは第２の二次巻線１５の一方の端部１５ａに接続し、他方の端部１５ｂは第２の冷陰極管１８の一方の端部１８ａに接続している。さらに、第２の冷陰極管１８の他方の端部１８ｂは第３の二次巻線１６の一方の端部１６ａに接続し、他方の端部１６ｂは検出部１９を介して接地している。つまり、複数の冷陰極管に流れる電流は、その本数に依存せずに一路線のみとしているものである。
【００３１】
ここでも、第１、第２、第３、第４、第５、第６の二次巻線１４、１５、１６、２８、２９、３０に（＋）Ｖ電位および（−）Ｖ電位を正確に発生させるためには、接地した端部を有する第６、第３の二次巻線３０、１６の巻数をＮとした場合、第１、第２、第４、第５の二次巻線１４、１５、２８、２９の巻数はその２倍の２Ｎとすることが望ましい。そして、第１、第２、第３、第４、第５の冷陰極管１７、１８、３１、３２、３３のそれぞれの一方の端部１７ａ、１８ａ、３１ａ、３２ａ、３３ａに（＋）Ｖ電位、それぞれの他方の端部１７ｂ、１８ｂ、３１ｂ、３２ｂ、３３ｂに（−）Ｖ電位を印加するために、第１、第２、第３、第４、第５、第６の二次巻線１４、１５、１６、２８、２９、３０におけるそれぞれの一方の端部１４ａ、１５ａ、１６ａ、２８ａ、２９ａ、３０ａは同極性の巻線仕様としたうえで接続している。これにより、接地せずに各冷陰極管の間に位置する二次巻線については何れも電位のバランスを採るためのインダクタとして機能することとなる。ここで説明した電位における（＋）Ｖおよび（−）Ｖについては、そのまま（＋）と（−）の符号を反転させても機能は同様である。
【産業上の利用可能性】
【００３２】
本発明の冷陰極管点灯装置は、安定した電流検出により冷陰極管の輝度ムラの抑制を可能とする効果を有し、各種電子機器において有用である。
【符号の説明】
【００３３】
１０  電源
１１  駆動回路
１２  トランス
１３  一次巻線
１４  第１の二次巻線
１４ａ  第１の二次巻線の一方の端部
１４ｂ  第１の二次巻線の他方の端部
１５  第２の二次巻線
１５ａ  第２の二次巻線の一方の端部
１５ｂ  第２の二次巻線の他方の端部
１６  第３の二次巻線
１６ａ  第３の二次巻線の一方の端部
１６ｂ  第３の二次巻線の他方の端部
１７  第１の冷陰極管
１７ａ  第１の冷陰極管の一方の端部
１７ｂ  第１の冷陰極管の他方の端部
１８  第２の冷陰極管
１８ａ  第２の冷陰極管の一方の端部
１８ｂ  第２の冷陰極管の他方の端部
１９  検出部
２０  検出信号
２１  制御回路
２２  制御信号
２３  接地部
【図１】
2011086568.tif 000003
【図２】
2011086568.tif 000004
【図３】
2011086568.tif 000005
【図４】
2011086568.tif 000006
【図５】
2011086568.tif 000007